(57)【要約】【課題】  表示板にアクリル板を用い、かつ、ＬＥＤの光源で、これまでに存在しなかった美しい広告宣伝に用いる表示板を提供しようとするものである。【解決手段】【請求項１】  アクリル板の裏面に、文字・絵画・記号・数字等の一定の形状の彫刻を施すと共に、ＬＥＤ入りのＬＥＤホルダーを、前記、アクリル板の一方の側縁に配設し、かつ、前記、アクリル板の対向方向の周縁に反射テープを貼着し、併せて前記、ＬＥＤを点灯若しくは点滅点灯したことを特徴とする表示板。【選択図】  図１
2007034246.tif 000002
【特許請求の範囲】
【請求項１】
アクリル板（１）の裏面に、文字・絵画・記号・数字等の一定の形状の彫刻物を刻設（２）、（２）すると共に、ＬＥＤ（４）、（４）入りのＬＥＤホルダー（３）、（３）を、前記、アクリル板（１）の一方の側縁に配設し、かつ、前記、アクリル板（１）の対向方向の周縁に反射テープ（５）を貼着し、併せて、前記、ＬＥＤ（４）、（４）を点灯若しくは点滅点灯したことを特徴とする表示板。
【請求項２】
アクリル板（１）をガラス板（６）に代え、かつ、刻設（２）、（２）をブラスト加工（７）、（７）にしたものである請求項１記載の表示板。
【請求項３】
反射テープ（５）を反射剤（１５）に代え、前記、アクリル板（１）の対向方向の周縁に、前記、反射剤（１５）を塗布したものである請求項１記載の表示板。
【請求項４】
アクリル板（１）の周縁に額縁ブラケット（１２）、（１２）を設けると共に、前記、アクリル板（１）の裏面に一幅の絵画（１６）を刻設（２）、（２）し、かつ、前記、アクリル板（１）の周縁に、ＬＥＤ（４）、（４）入りのＬＥＤホルダー（３）、（３）を配設したものである請求項１記載の彫刻絵画用の表示板。
【請求項５】
アクリル板（１）の裏面に、時計の文字盤（１７）を刻設（２）、（２）したものである請求項１記載の表示板。
【請求項６】
アクリル板（１）の裏面に、メニューを刻設（２）、（２）したものである請求項１記載の表示板。
【請求項７】
アクリル板（１）の裏面に、色付シート（１３）又は色付アクリル板（１４）を貼着したものである請求項１、３、４、５、６記載の表示板。
【発明の詳細な説明】
【技術分野】
【０００１】  本発明は、彫刻を施したアクリル板に光を当てると彫刻物が発光することを利用したもので、アクリル板に彫刻した表示物に、ＬＥＤのクールな光りを当てて鮮明なる彫刻物の発光を可能にした表示板に関する。
【背景技術】
【０００２】  本発明に係る従来の類似品としては、表示物を掲載した表示板（看板）に、蛍光灯などの照明機器を用いてライトアップすることにより、表示板に注目させることで、広告宣伝の役割を果たすというものが、各種あった。たとえば、表示板に会社名や商品名、案内表示などを掲載した上で、照明灯を当てて視線を表示板に向けさせ、広告宣伝に活用しようとするものなどである。しかし、こうした表示板にも、次のような課題を有するものであった。
▲１▼  照明に交流電源を使用しているので、表示板の設置場所に制限を受ける。
▲２▼  照明時間が長時間に及ぶので、電力の消費量が多くなり、ランニングコストが高額なものになる。
▲３▼  照明ランプの摩耗によるランプ交換の手間とコストが必要になる。
【発明の開示】
【発明が解決しようとする課題】
【０００３】  従来から表示板に、蛍光灯などの照明機器を用いてライトアップすることで、広告宣伝の役割を果たすという表示板は多種多様なものがあった。それは、一般的に表示板に会社名や商品名、案内表示などを掲載した上で、照明灯を当てて第三者の視線を表示板に向けさせ、広告宣伝に用いるというものであった。このような表示板にも幾つかの問題点を抱えていた。その主のものは次のような課題である。従来の表示板は、照明に交流電源を使用していることから、表示板の設置場所は交流電源を引いてきて利用できる場所に限られるという制限を受ける。また、表示板への照明時間が長時間に及ぶことになるので、電力の消費量が多量なものになり、ランニングコストが極めて高額なものになる。更に、光源である照明ランプの消耗によって、ランプ交換の手間とコストが必要になる。というような諸々な課題である。本発明は従来技術の有するこのような問題点に鑑みてなされたもので、表示板にアクリル板を用い、かつ、ＬＥＤ４、４の光源で、これまでに存在しなかった美しい光りの発光で広告宣伝に用いることのできる表示板を提供しようとするものである。発明者は永年に亙ってアクリルの研究に従事してきたものであり、その成果として本発明を導くに至ったものである。
【課題を解決するための手段】
【０００４】  上記目的を達成するために、本発明における表示板は、次のような構成としている。
【請求項１】
アクリル板１の裏面に、文字・絵画・記号・数字等の一定の形状の彫刻物を刻設２、２すると共に、ＬＥＤ４、４入りのＬＥＤホルダー３、３を、ＬＥＤホルダー用ベースプレート８を介して、前記、アクリル板１の一方の側縁に配設し、かつ、前記、アクリル板１の対向方向の周縁に反射テープ５を貼着し、電源を収納できるブラケット９を用いて、前記、アクリル板１を立設し、併せて前記、ＬＥＤ４、４を点灯若しくは点滅点灯させる。
【請求項２】
【０００５】  アクリル板１をガラス板６に代え、かつ、刻設２、２をブラスト加工７、７にしたものである請求項１記載の表示板。
【請求項３】
【０００６】  反射テープ５を反射剤１５に代え、前記、アクリル板１の対向方向の周縁に、前記、反射剤１５を塗布したものである請求項１記載の表示板。
【請求項４】
【０００７】  アクリル板１の周縁に額縁ブラケット１２、１２を設けると共に、前記、アクリル板１の裏面に一幅の絵画１６を刻設２、２し、かつ、前記、アクリル板１の周縁に、ＬＥＤ４、４入りのＬＥＤホルダー３、３を配設したものである請求項１記載の彫刻絵画用の表示板。
【請求項５】
【０００８】  アクリル板１の裏面に、時計の文字盤１７を刻設２、２したものである請求項１記載の表示板。
【請求項６】
【０００９】  アクリル板１の裏面に、メニューを刻設２、２したものである請求項１記載の表示板。
【請求項７】
【００１０】  アクリル板１の裏面に、色付シート１３又は色付アクリル板１４を貼着したものである請求項１、３、４、５、６記載の表示板。
【発明の効果】
【００１１】  本発明は上記のとおり構成されているので、次に記載する効果を奏する。
１．ＬＥＤ４、４入りのＬＥＤホルダー３、３をアクリル板１の一方の側縁に配設することで、ＬＥＤ４、４から照射する光をムダなくアクリル板１内に垂直に放光させることができる。
２．反射テープ５を、アクリル板１の対向方向の周縁に貼着しているので、ＬＥＤ４、４から放光した光を、反射光としてアクリル板１内に閉じ込めることができる。
３．ＬＥＤ４、４の光をアクリル板１内に通すと、アクリル板１は抵抗物が少ないことから、ＬＥＤ４、４固有の色彩を僅かに発色させるだけで大半の光りは単に通過するだけである。しかし、そこに彫刻物などの抵抗物があると、ＬＥＤ４、４の光りはその彫刻物の全面に反射して発光現象を起こし、ＬＥＤ４、４固有の色で彫刻物を鮮明に発光させることができる。
４．アクリル板１に彫刻物を刻設２、２した表示板は、その彫刻物がＬＥＤ４、４の透明感のあるクールな光りに反応して発光するので、アピール性があり優雅で格調の高い宣伝広告表示板にすることができる。
５．本表示板は、直流電源が使用できるので、実施場所の制限を受けない。
６．本表示板の光源に、ＬＥＤ４、４を使用しているので、小型の表示板にも使用できるばかりでなく、何より耐久性に優れており、管理メンテナンス面でも、ランニンコスト面の経済性においても、他の商品に比較して極めて優位性がある。
７．本表示板は、従来品には全く存在しなかったものであり、美しさや珍しさを有しており、アピール性が高く魅力ある新商品としての商品価値がある。
８．彫刻絵画用の表示板にあっては、彫刻絵画の世界に新しい境地を開くもので、ＬＥＤ４、４のクールな光りに彩られた彫刻絵画の新しい美術を誕生させることができた。
９．アクリル板１の裏面に、時計の文字盤１７を刻設２、２したものにあっては、本発明を時計の文字盤１７に適用させることができ、美しい光りに彩られた新しいインテリアとしての時計を提供することができる。
１０．アクリル板１の裏面に、メニューを刻設２、２したものにあっては、恒久的に表示したい文字・数字・絵画などは刻設２、２し、時によって書き換えたいものは、アクリル板１の上から書き込んで表示できるばかりでなく、ＬＥＤ４、４のクールな光りに彩られたメニューの表示板を提供できる。
１１．アクリル板１の裏面に、色付シート１３又は色付アクリル板１４を貼着したものにあっては、アクリル板１の透明感を消失させ、感覚的に異なる色調の表示板にすることができる。
１２．反射テープ５を反射剤１５に代え、前記、アクリル板１の対向方向の周縁に、前記、反射剤１５を塗布したものにあっては、反射テープ５を貼着したのものと同様の効果があり、ＬＥＤ４、４の光りをアクリル板１内に反射させることができる。
【発明を実施するための最良の形態】
【００１２】  本発明を実施するための最良の形態を、図面を参照に説明する。
図１、２は、請求項１記載の実施例で、図１は、本発明の一実施例の斜視図である。図２は、ＬＥＤ４、４をＬＥＤホルダー３、３に入れた斜視図である。
本発明を分かりよくするために、図２から説明する。図２は、ＬＥＤ４、４をＬＥＤホルダー３、３に入れたものである。ＬＥＤホルダー３、３は、透明体の外ケースとＬＥＤ４、４を固定する内ケースから形成されており、内ケースの中にＬＥＤ４、４を入れてから外ケースに挿入することによって、ＬＥＤ４、４を垂直方向に向けて固定できる。また、ＬＥＤホルダー３、３は、ＬＥＤホルダー用ベースプレート８を介して、アクリル板１の一方の側縁に当着させると、ＬＥＤ４、４の光をアクリル板１の長手方向に向けて放射させることができる。【００１３】  本発明は、図１、に示すように、アクリル板１の裏面に、文字・絵画・記号・数字等の一定の形状の彫刻物を刻設２、２してある。更に、前記アクリル板１の対向方向の周縁に反射テープ５を貼着し、ＬＥＤ４、４からアクリル板１内に照射された光を反射テープ５で反射し、アクリル板１内に閉じ込めるようにしている。また、ＬＥＤ４、４は、電力の消費が少ないことから電源はバッテリー１０でよく、バッテリー１０や、スィッチ１１を収納できるブラケット９を用いて収納し、かつ、このブラケット９で前記、アクリル板１を立設することで、本発明になる表示板は構成されている。【００１４】  本発明は以上のように構成しているので、ＬＥＤ４、４を点灯若しくは点滅点灯させると、ＬＥＤ４、４の光はアクリル板１内に放射され、反射テープ５まで到達した光は反射テープ５で跳ね返される。また、アクリル板１内に存在する僅かな異物に当たった光りは、ＬＥＤ４、４が固有する色をアクリル板１内に僅かな色で発色することになる。同時に刻設２、２した彫刻物に当たった光は発光現象を起こし、彫刻物を鮮明に浮き出させることができる。従って、本表示板は万人の注目を集めると共に、アピール性の強い表示板になっており、広告宣伝に用いるのに最適な新しい表示板としての役割を果たすことができる。【００１５】  図３は、請求項３に関する実施例の斜視図である。本実施例では、反射テープ５を反射剤１５に代え、アクリル板１の対向方向の周縁に、反射剤１５を塗布したものである。この反射剤１５を塗布したものは、ＬＥＤ４、４から照射された光をアクリル板１内に閉じ込めることができる。【００１６】  図４は、請求項４に関する実施例の正面図である。本実施例では、アクリル板１の裏面に、一幅の絵画１６を刻設２、２した後、アクリル板１の周縁に額縁ブラケット１２、１２を設けると共に、アクリル板１の周縁に、ＬＥＤ４、４入りのＬＥＤホルダー３、３を配設したものである。
本実施例は、以上のように構成しているので、刻設２、２した絵画に向けて、その彫刻物にふさわしい色のＬＥＤ４、４をアクリル板１の周縁から照射する。こうすることで彫刻物はＬＥＤ４、４のクールな彩りの発光現象を起こし、これまでには見られなかった神秘的で美しい彫刻絵画の出現を実現させた。本発明では、美術のジャンルに新境地を加えたことになり、新しい分野の彫刻絵画の世界を誕生させることになった。【００１７】  図５は、請求項５に関する実施例の正面図である。本実施例では、本発明の表示板を時計の文字盤１７に適用させたものである。本実施例では、アクリル板１の裏面に時計の文字盤１７を刻設２、２したものである。従って、アクリル板１に刻設２、２された時計の文字盤１７は、ＬＥＤ４、４のクールな光りでうっすらと淡く輝き、数字は鮮明に発光するという、幻想的なこれまでにはなかった時計を提供するものである。本実施例は、インテリアの世界に新境地を拓くものになっている。【００１８】  図６は、請求項６に関する実施例の正面図である。本実施例では、本発明の表示板をメニュー板に適用したものである。本実施例では、アクリル板１の裏面に、メニューを刻設２、２したものである。本メニュー板を用いることによって、恒久的に表示したい文字・数字・絵画などはアクリル板１に刻設２、２し、時によって書き換えたいものは、アクリル板１の上から書き込んで表示できるものなっているので、至って便利なものになっている。このメニュー板を用いることによって、ＬＥＤ４、４のクールな光りに彩られて格調があり、アピール度の高いメニューの表示板にすることができ、他店との格差をつけることができる。
【産業上の利用可能性】
【００１９】  本発明は、アクリル板１に刻設２、２した彫刻物に、ＬＥＤ４、４の光りを照射すると発光現象が現れることを利用したものであり、本表示板は、これまでにない清涼感に溢れる色調の広告宣伝の表示板を提供を可能にしたものである。この表示板の応用範囲は近い将来にもっと広範な領域に使用される可能性を有している。この発明が契機となって、新しい表示板の開発に発展・寄与するに違いない。本発明になる新規性・進歩性は、画期的なものであり、将来に亙って社会的に評価されるべきものと思う。
【図面の簡単な説明】
【００２０】
【図１】本発明の一実施例の斜視図である。
【図２】ＬＥＤをＬＥＤホルダーに入れた斜視図である。
【図３】請求項３に関する実施例の斜視図である。
【図４】請求項４に関する実施例の正面図である。
【図５】請求項５に関する実施例の正面図である。
【図６】請求項６に関する実施例の正面図である。
【符号の説明】
【００２１】（１）    は    アクリル板
（２）    は    刻設
（３）    は    ＬＥＤホルダー
（４）    は    ＬＥＤ
（５）    は    反射テープ
（６）    は    ガラス板
（７）    は    ブラスト加工
（８）    は    ＬＥＤホルダー用ベースプレート
（９）    は    ブラケット
（１０）  は    バッテリー
（１１）  は    スィッチ
（１２）  は    額縁ブラケット
（１３）  は    色付シート
（１４）  は    色付アクリル板
（１５）  は    反射剤
（１６）  は    一幅の絵画
（１７）  は    時計の文字盤
【図１】
2007034246.tif 000003
【図２】
2007034246.tif 000004
【図３】
2007034246.tif 000005
【図４】
2007034246.tif 000006
【図５】
2007034246.tif 000007
【図６】
2007034246.tif 000008